(57)【要約】      （修正有）【課題】組立の１工程毎には洗浄殺菌滅菌処理は不要で、体内や口の中に速やかに挿入でき、チューブの先端が捲り上がる恐れの無い流体注出注入器を提供する。【解決手段】先端側に頭部１０ａを備える芯部材１１ａと、前記芯部材１１ａが貫通し、前記頭部１０ａに隣接して配置され、流体を外部に注出或いは外部から注入する孔若しくは溝２２を備える注出注入部材２０と、前記注出注入部材２０における前記頭部１０ａに隣接する側の反対側と嵌合し、前記芯部材１１ａの外周面を前記流体が通過する間隙を有して覆い、外径が前記頭部の最大径以下のチューブ材３０と、を備えた構成を採る。【選択図】図１
2017148464.tif 000002
【特許請求の範囲】
【請求項１】
先端側に頭部を備える芯部材と、
前記芯部材が貫通し、前記頭部に隣接して配置され、流体を外部に注出或いは外部から注入する孔若しくは溝を備える注出注入部材と、
前記注出注入部材における前記頭部に隣接する側の反対側と嵌合し、前記芯部材の外周面を前記流体が通過する間隙を有して覆い、外径が前記頭部の最大径以下のチューブ材と、
を備えた流体注出注入器。
【請求項２】
前記頭部は、先端が尖った円錐形若しくは多角錐形であることを特徴とする請求項１に記載の流体注出注入器。
【請求項３】
前記頭部は、先端が丸みを持った球形であることを特徴とする請求項１に記載の流体注出注入器。
【請求項４】
前記芯部材の材質は、金属若しくは樹脂であることを特徴とする請求項１乃至３のいずれか１項記載の流体注出注入器。
【請求項５】
前記注出注入部材が前記溝を備える場合、前記溝は前記頭部と接することで孔を形成することを特徴とする請求項１乃至４のいずれか１項記載の流体注出注入器。
【請求項６】
前記注出注入部材は、金属若しくは樹脂であることを特徴とする請求項１乃至５のいずれか１項記載の流体注出注入器。
【請求項７】
前記芯部材と前記注出注入部材とは、同一材質の一体物であることを特徴とずる請求項１乃至６のいずれか１項記載の流体注出注入器。
【請求項８】
前記チューブ材の材質は、金属若しくは樹脂であることを特徴とする請求項１乃至７のいずれか１項記載の流体注出注入器。
【発明の詳細な説明】
【技術分野】
【０００１】  本発明は、微細注射針やマウスなどの小動物に各種医薬品や飼料などの流体を経口投与するためのカテーテルといった流体注出注入器に関する。
【背景技術】
【０００２】  従来、注射の際に患者が受ける痛みを大幅に軽減することを可能とする微細注射針が知られている。【０００３】  また、経口投与する医薬品の効能や副作用等を調べるためにマウスなどを用いて動物実験をする場合や、病気などの理由から動物が自力で餌を食べることができない場合などにあっては、カテーテルを口から食道を経て胃内へ挿通し、このカテーテルを介して所望の医薬品や栄養剤、液状の食餌等が投与される。【０００４】  例えば、特許文献１には、微細注射器という形態で流体注出注入器が記載されている。また、特許文献２には、動物用経口カテーテルという形態で流体注出注入器が記載されている。
【先行技術文献】
【特許文献】
【０００５】
【特許文献１】特開２００８−４３５８３号公報
【特許文献２】特開平１１−５６８８０号公報
【発明の概要】
【発明が解決しようとする課題】
【０００６】  特許文献１に記載の流体注出注入器である微細注射針において、皮膚表面から注射針を体内に挿入しようとすると、芯部材のみならず、外周面を覆う被覆層であるチューブの先端部にも体の挿入部の径を押し広げる力が加わり、チューブが柔らかい樹脂などであれば、先端部が捲り上がってしまう恐れがあるという問題があった。【０００７】  また、部品を、切削加工等を行ないながら組み立てて行く構造で、ゴミや切り粉の付着を防ぐ為に１工程毎に洗浄殺菌滅菌が必要となるという問題があった。【０００８】  また、特許文献２に記載の流体注出注入器である中型動物用経口カテーテルを小型動物用経口カテーテルに適用しようとすると、先端に案内部が付いた軟質材料のチューブだけの強度では、流体注出注入器であるカテーテルを小型動物体内の所定の位置まで安全に速やかに挿入するのは容易では無いという問題があった。【０００９】  本発明は、この様な従来の問題点を解決するものであり、チューブの先端が捲り上がる恐れの無く、組立の１工程毎には洗浄殺菌滅菌処理は不要で、体内や口の中に速やかに挿入できる流体注出注入器を提供することを目的とする。
【課題を解決するための手段】
【００１０】  本発明の流体注出注入器は、先端側に頭部を備える芯部材と、前記芯部材が貫通し、前記頭部に隣接して配置され、流体を外部に注出或いは外部から注入する孔若しくは溝を備える注出注入部材と、前記注出注入部材における前記頭部に隣接する側の反対側と嵌合し、前記芯部材の外周面を前記流体が通過する間隙を有して覆い、外径が前記頭部の最大径以下のチューブ材と、を備えた構成を採る。
【発明の効果】
【００１１】  本発明によれば、チューブの先端が捲り上がる恐れの無く、組立の１工程毎には洗浄殺菌滅菌処理は不要で、体内や口の中等に速やかに挿入できる流体注出注入器を提供できる。
【図面の簡単な説明】
【００１２】
【図１】本発明の一実施の形態に係る流体注出注入器の構成を説明する為の図
【図２】本発明の一実施の形態のその他の例に係る流体注出注入器の構成を説明する為の図
【発明を実施するための形態】
【００１３】  以下、本発明の一実施の形態について図面を参照して詳細に説明する。
【００１４】  図１（ａ）は、本発明の一実施の形態に係る流体注出注入器の全体構成を説明する為の図であり、図１（ｂ）は、流体注出注入器を構成する芯部材を先端側から見た図であり、図１（ｃ）は、流体注出注入器を構成する注出注入部材を先端側から見た図である。
【００１５】  図２（ａ）は、本発明の一実施の形態のその他の例に係る流体注出注入器を構成する芯部材を先端側から見た図であり、図２（ｂ）は、本発明の一実施の形態の更なるその他の例に係る流体注出注入器を構成する芯部材の先端寄りの断面図である。
【００１６】  流体注出注入器１は、微細注射針として適用可能で、芯部材１１ａと、注出注入部材２０と、チューブ材３０とを備える。
【００１７】  芯部材１１ａは、材質が金属又は樹脂で、先端側に鋭利な先端１３ａを備えた円錐形で、最大径１５の頭部１０ａを有している。流体注出注入器１を微細注射針として適用した場合に求められる強度は、主に芯部材１１ａの材質や寸法で管理できる。
【００１８】  注出注入部材２０は、材質が金属又は樹脂で、溝２４ａ，２４ｂ，２４ｃ，２４ｄを備え、その直径は芯部材１１ａの最大径１５と同じか、或いは、それ以下で、芯部材１１ａとの間に流体通過部４２及び孔２２を形成している。
【００１９】  チューブ材３０は、材質が金属又は樹脂で、その外径は芯部材１１ａの最大径１５と同じか、或いは、それ以下で、一端が注出注入部材２０と嵌合し、芯部材１１ａとの間に流体通過部４１を形成している。
【００２０】  芯部材、注出注入部材、チューブ全てを樹脂とした場合、Ｘ線透視をした場合、透けるので透視を阻害しないという利点がある。
【００２１】  微細注射針として適用された流体注出注入器１で医薬等を注射する場合は、医薬等の流体が流体通過部４１から流体通過部４２を通り、孔２２から注出される。逆に血液などの流体を採取する場合は、孔２２から流体通過部４２を通り、流体通過部４１へと注入される。
【００２２】  芯部材１１ａを、図２（ａ）に示すように、先端側に鋭利な先端１３ｂを備え、稜線１７ａ，１７ｂ，１７ｃを備えた三角錐型にしても良い。
【００２３】  また、図２（ｂ）に示すように、芯部材１１ｂの頭部１０ｂを先端が丸みを持った球状にすることで、流体注出注入器１は、動物用経口カテーテルとして適用可能である。流体注出注入器１を動物用経口カテーテルとして適用した場合に求められる強度は、主に芯部材１１ａの材質や寸法で管理できる。
【００２４】  芯部材、注出注入部材、チューブ材それぞれを一度、洗浄殺菌滅菌すれば組立工程で切削等の加工は行わないので、１工程毎に洗浄殺菌滅菌を行う必要は無い。
【００２５】  以上説明した様に、本実施の形態によれば、チューブの先端が捲り上がる恐れが無く、組立の１工程毎には洗浄殺菌滅菌処理は不要で、体内や口の中等に速やかに挿入できる流体注出注入器を提供できる。
【００２６】  以上の説明は本発明の好適な実施の形態の例証であり、本発明の範囲はこれに限定されることはない。
【００２７】  流体注出注入器は、微細注射針や動物用経口カテーテルに限定されず、流体を注出或いは注入する器具であればよく、例えば、内視鏡に組み込み、食道内に医薬流体を注出したり、検査対象流体を注入しても良い。
【００２８】  さらに、芯部材と注出注入部材が別部材である必要は無く、一体であっても良い。さらに、流体注出注入器を微細注射針として適用した場合に、芯部材の頭部は円錐形或いは三角錐に限定されず、どんな多角錐でも良い。
【００２９】  さらに、芯部材及び注出注入部材の材質は、金属若しくは樹脂に限定されず、石材でも、セラミックスでも、ガラスでも、木材でも、ゴムでも、その他の材質でも、それらの組み合わせでも良い。例えば、芯部材の頭部を樹脂で、他の部分を金属として一体成形しても良い。
【００３０】  さらに、孔２２は注出注入部材の溝と芯部材との隙間で形成する必要は無く、注出注入部材自体に設けられていても良い。また、溝の数及び孔の数は４個に限定されず、いくつでも良い。
【産業上の利用の可能性】
【００３１】  本発明に係る流体注出注入器は、体内でチューブの先端が捲り上がる恐れの無い、組立の１工程毎には洗浄殺菌滅菌処理は不要で、微細注射針や口の中に安全に速やかに挿入できる小動物用経口カテーテルとして好適である。
【符号の説明】
【００３２】１  流体注出注入器
１０ａ，１０ｂ  頭部
１１ａ，１１ｂ  芯部材
１３ａ，１３ｂ  先端
１５  最大径
１７ａ，１７ｂ，１７ｃ  稜線
２０  注出注入部材
２２  孔
２４ａ，２４ｂ，２４ｃ，２４ｄ  溝
３０  チューブ材
４１，４２  流体通過部
【図１】
2017148464.tif 000003
【図２】
2017148464.tif 000004